(57)【要約】【課題】  アドレス設定用のスイッチやボタンを各遊技台用台間機に設けることなく、各遊技台用台間機のアドレス設定を簡単に行い得るアドレス設定装置を提案すること。【解決手段】  遊技台用台間機２のアドレス設定装置１５は、携帯型のアドレスデータ発信器１１と、台間機２の受光窓１０の背面側に配置したアドレスデータ受信器１２およびアドレスメモリ１３とから構成されている。アドレスデータ発信器１１に設定アドレス番号を入力し、発光部３５を受光窓１０に向けて送信ボタン３４を押すとアドレス番号が台間機２のアドレスデータ受信器１２で受信され、アドレスメモリ１３にアドレス番号が記憶保持される。【選択図】  図２
2005034527.tif 000002
【特許請求の範囲】
【請求項１】
遊技台に隣接配置され、遊技台で用いる遊技媒体の貸し出しを行う遊技台用台間機のそれぞれに、固有のアドレスを設定する遊技台用台間機のアドレス設定装置であって、
携帯型のアドレスデータ発信器と、
前記アドレスデータ発信器から発信されたアドレスデータを受信するアドレスデータ受信器と、
前記アドレスデータ受信器で受信した前記アドレスデータを記憶保持するアドレスメモリとを有し、
前記アドレスデータ受信器と前記アドレスメモリが前記遊技台用台間機の側に取り付けられている遊技台用台間機のアドレス設定装置。
【請求項２】
請求項１において、
前記アドレスデータ発信器は光通信により前記アドレスデータを前記アドレスデータ受信器に送るようになっている遊技台用台間機のアドレス設定装置。
【請求項３】
請求項２において、
前記遊技台用台間機の前面パネルには前記アドレスデータ受信器の受光窓が形成されている遊技台用台間機のアドレス設定装置。
【請求項４】
請求項１ないし３のうちのいずれかの項において、
前記アドレスデータ発信器は、アドレス表示部とアドレス入力部とを有し、
前記アドレス表示部は複数桁の表示器を備え、
前記アドレス入力部は、各表示器に表示される数字を増減するために各表示器に対応して設けられた一対の増減ボタンと、入力されたアドレスデータを送信するために用いる送信ボタンとを備えている遊技台用台間機のアドレス設定装置。
【請求項５】
遊技台に隣接配置され、遊技台で用いる遊技媒体の貸し出しを行う遊技台用台間機において、
請求項１ないし４のうちのいずれかの項に記載の前記アドレスデータ受信器と前記アドレスメモリを有している遊技台用台間機。
【請求項６】
請求項１ないし４のうちのいずれかの項に記載の前記アドレスデータ発信器。
【発明の詳細な説明】
【技術分野】
【０００１】
本発明は、パチンコ台などの遊技台で用いる遊技媒体を貸し出すために、遊技台の隣接位置あるいは遊技台の間に配置されている遊技台用台間機に関するものである。さらに詳しくは、本発明は各遊技台用台間機を集中管理している管理コンピュータの側において各遊技台用台間機を特定できるように、各遊技台用台間機にアドレスを設定するアドレス設定装置に関するものである。
【背景技術】
【０００２】
パチンコ店などの遊技店においては、遊技台に隣接配置されている遊技台用台間機のそれぞれに固有のアドレスを付与して、ＬＡＮなどの通信回線網を介して、管理コンピュータにより各遊技台用台間機を集中管理している。遊技台用台間機にアドレスを付与するために、遊技台用台間機にはアドレス設定用のロータリスイッチなどの機械的スイッチがアドレスの桁数に対応する個数分取り付けられており、各桁のロータリスイッチをドライバなどにより回して、アドレスを設定している。このようなロータリスイッチが配列されたアドレス設定部は、遊技者などが不正にアクセスできないように、一般に遊技台用台間機の奥の部分に配置されている。したがって、設置されているアドレスの確認やアドレスの再設定のための作業が面倒である。
【０００３】
そこで、従来においては、下記の特許文献１などに開示されているように、遊技台用台間機の前面パネルに配列されている操作ボタンを操作することにより、アドレスを設定可能なアドレス設定装置が提案されている。
【特許文献１】特開平０９−３１３７２２号公報
【発明の開示】
【発明が解決しようとする課題】
【０００４】
本発明の課題は、アドレス設定用のスイッチや操作ボタンを各台間機に配置することなく、しかも、簡単な操作により、遊技台用台間機のアドレス設定、その変更を行うことのできる遊技台用台間機のアドレス設定装置を提案することにある。
【０００５】
また、本発明の課題は、簡単な操作によりアドレス設定およびその変更を行うことのできる遊技台用台間機を提案することにある。
【０００６】
さらに、本発明の課題は、簡単な操作により遊技台用台間機のアドレス設定およびその変更を行うことのできるアドレスデータ発信器を提案することにある。
【課題を解決するための手段】
【０００７】
上記の課題を解決するために、本発明は、遊技台に隣接配置され、遊技台で用いる遊技媒体の貸し出しを行う遊技台用台間機のそれぞれに、固有のアドレスを設定する遊技台用台間機のアドレス設定装置であって、携帯型のアドレスデータ発信器と、前記アドレスデータ発信器から発信されたアドレスデータを受信するアドレスデータ受信器と、前記アドレスデータ受信器で受信した前記アドレスデータを記憶保持するアドレスメモリとを有し、前記アドレスデータ受信器と前記アドレスメモリが前記遊技台用台間機の側に取り付けられていることを特徴としている。
【０００８】
ここで、前記アドレスデータ発信器は光通信により前記アドレスデータを前記アドレスデータ受信器に送るように構成することができる。この場合、前記遊技台用台間機の前面パネルに前記アドレスデータ受信器の受光窓を形成し、ここに向けて光通信によりアドレス情報を送ればよい。
【０００９】
本発明において、前記アドレスデータ発信器としては、アドレス表示部とアドレス入力部とを有し、前記アドレス表示部は複数桁の表示器を備え、前記アドレス入力部は、各表示器に表示される数字を増減するために各表示器に対応して設けられた一対の増減ボタンと、入力されたアドレスデータを送信するために用いる送信ボタンとを備えた構成のものを用いることができる。この構成によれば、少ないボタン数で、しかも少ないボタン操作により多数桁のアドレスデータを入力できる。
【００１０】
次に、本発明は、遊技台に隣接配置され、遊技台で用いる遊技媒体の貸し出しを行う遊技台用台間機において、上記のアドレス設定装置の受信側の部分を構成している前記アドレスデータ受信器と前記アドレスメモリを有していることを特徴としている。
【００１１】
一方、本発明は遊技台用台間機のアドレス設定用のアドレスデータ発信器に関するものであり、上記の構成を備えていることを特徴としている。
【発明の効果】
【００１２】
本発明の遊技台用台間機のアドレス設定装置においては、無線通信、例えば光通信により、携帯型のアドレスデータ発信器から対象とする遊技台用台間機に向けてアドレスデータを送信すると、対象の遊技台用台間機に取り付けられているアドレスデータ受信器がアドレスデータを受信し、受信したアドレスデータがアドレスメモリに記憶保持される。したがって、従来に比べて極めて簡単な操作により、各遊技台用台間機のアドレス設定、およびその変更を行うことができる。
【００１３】
また、光通信を利用することにより、アドレス設定装置を廉価かつ簡単に構成できる。
【００１４】
さらに、本発明によれば、遊技台用台間機の側におけるアドレス設定用の構成部分も廉価かつ簡単な構造にできる。
【００１５】
次に、本発明のアドレス設定用のアドレスデータ発信器では、各桁の数字を一対の操作ボタンにより増減して多数桁のアドレス番号を入力するようになっている。したがって、少ない操作ボタンを用いて少ない操作回数により多数桁のアドレス番号を入力できる。よって、アドレスの設定、あるいは変更を簡単に行うことのできるアドレスデータ発信器を実現できる。
【発明を実施するための最良の形態】
【００１６】
以下に、図面を参照して、本発明を適用した遊技台用台間機のアドレス設定装置を説明する。
【００１７】
図１は、遊技店に設置されている遊技島を構成している遊技台および遊技台用台間機を示す斜視図である。遊技台１は例えばパチンコ台であり、その隣接位置には当該遊技台１でのプレイに用いるパチンコ玉などの遊技媒体の貸し出しを行う遊技台用台間機２が配置されている。遊技台用台間機２はＬＡＮなどの不図示の通信回線網を経由して遊技店の管理コンピュータなどに対して双方向通信可能な状態で接続されている。
【００１８】
遊技台用台間機２は、遊技島枠（図示せず）に取り付けられた台間機ホルダ３と、この台間機ホルダ３に対して前側から装着された台間機本体４から構成されている。台間機本体４は縦長の扁平なケース５と、その前面に取り付けた前面パネル６とを有し、ケース５の内部には、制御ユニット、電源ユニット、カードリーダライタ、紙幣識別ユニットなどが内蔵されている（図２参照）。前面パネル６には、その上端部分に台間機の動作状態を表示するための表示ランプ７が取り付けられている。また、前面パネル６には操作ボタンや液晶表示器が配列した操作部８、カードスロット９などが配置されている。さらに、本例では、透光性の光通信用の受光窓１０が配置されている。この受光窓１０を目掛けて、アドレス設定装置の構成部品である携帯型のアドレスデータ発信器１１から光通信によりアドレスデータを送信すると、送信したアドレスが当該遊技台用台間機２のアドレスとして設定されるようになっている。
【００１９】
図２は遊技台用台間機２の制御系を示す概略ブロック図である。遊技台用台間機２は、ケース５の内部に、制御ユニット２１、電源ユニット２２、カードリーダライタ２３などのユニットが配置されている。プリペイドカードや所定の金額情報が記憶された会員カードなどを挿入すると、制御ユニット２１により所定の遊技媒体の貸し出し動作が行われる。制御ユニット２１は中継基板２４を介して隣接配置されている遊技台１に接続されていると共に、中継基板２４および遊技島中継器２５を介して、遊技店の管理コンピュータ２６の側に接続されている。遊技台用台間機２の基本的な動作は公知であるので、これ以上の説明は省略するものとする。
【００２０】
本例の遊技台用台間機２においては、その前面パネル６の受光窓１０の背面側に、光学式のアドレスデータ受信器１２が配置されている。アドレスデータ受信器１２は、アドレスデータ発信器１１からのアドレスデータを受光窓１０を介して受光する。受光したアドレスデータはアドレスメモリ１３に記憶保持される。アドレスメモリ１３は不揮発性メモリであるＥＥＰＲＯＭやＳＲＡＭから構成されており、電源がオフされても設定されたアドレスが保持される。また、アドレスメモリ１３にアドレスが保持されている状態において、アドレスデータ受信器１２において新たなアドレスデータを受信した場合には、その受信したアドレスデータによってアドレスメモリ１３の記憶内容が更新可能となっている。本例では、遊技台用台間機２の側に配置されているアドレスデータ受信器１２およびアドレスメモリ１３と、携帯型のアドレスデータ発信器１１とによって、遊技台用台間機２のアドレス設定装置１５が構成される。
【００２１】
図３は、携帯型のアドレスデータ発信器１１を示す説明図である。アドレスデータ発信器１１の操作面１１ａには、３桁の７セグメント液晶表示器３１、３２、３３を備えたアドレス表示部３０と、６個の操作ボタン３１（１）、３１（２）、３２（１）、３２（２）および３３（１）、３３（３）と、1個の送信ボタン３４が配列されている。一対の操作ボタン３１（１）、３１（２）は一の桁の液晶表示器３１の表示数を増減するためのボタンであり、一対の操作ボタン３２（１）、３２（２）は十の桁の液晶表示器３２の表示数を増減するためのボタンであり、残りの一対の操作ボタン３３（１）、３３（２）は百の桁の液晶表示器３３の表示数を増減するためのボタンである。送信ボタン３４は、アドレス表示部３０に表示された３桁のアドレス番号（アドレスデータ）を送信するためのボタンである。このボタン３４を操作すると、アドレスデータ発信器１１の前面に配置されているＬＥＤなどからなる発光部３５がアドレス番号に対応して点滅する。
【００２２】
図４のフローチャートを参照して、本例のアドレス設定装置１５による遊技台用台間機２のアドレス設定動作を説明する。ステップＳＴ１〜ＳＴ１２に示すように、アドレスデータ発信器１１の各ボタン３１（１）〜３３（２）を操作して、各桁の数字を増減して設定すべき３桁のアドレス番号を入力する。アドレス番号の入力が終了した後は、アドレスデータ発信器１１の発光部３５を、アドレス設定対象の遊技台用台間機２の受光窓１０に向け、送信ボタン３４を操作する。本例では、アドレス番号を暗号化して送信する（ステップＳＴ１３、ＳＴ１４、ＳＴ１５）。
【００２３】
遊技台用台間機２では、アドレスデータ受信器１２がアドレス番号を受光し、アドレスメモリ１３に受光したアドレス番号を書き込む。制御ユニット２１は、アドレスメモリ１３に新しいアドレス番号の書き込みが終了したことを確認すると、受信したことを操作者に知らせるための受信確認表示を行う。例えば、表示ランプ７を利用し、これを所定形態、例えば０．５秒間隔で繰り返し３回点滅させる（ステップＳＴ１６）。アドレスデータ発信器１１の操作者は、表示ランプ７の点滅駆動により、アドレス番号が書き込まれたことを確認できる。
【００２４】
なお、アドレス表示部３０の各桁の数字が全て零の場合などのように、不適切、あるいはアドレス番号として使用しない番号が設定されたときには、送信ボタン３４を操作しても発信動作を行わず、その旨を示すエラー表示を行う。例えば、アドレスデータ発信器１１のアドレス表示部３０に「ＥＥＥ」の点滅を０．５秒間隔で３回繰り返し、最後に「０００」を表示して、処理を終了する（ステップＳＴ１４、１７）。
【００２５】
このように、本例のアドレス設定装置１５を用いれば、携帯型のアドレスデータ発信器１１により、各遊技台用台間機２のアドレス設定およびアドレス変更を、遠隔操作により行うことができる。したがって、各遊技台用台間機２にアドレス設定用のスイッチなどを配置する必要がなく、また、極めて簡単にアドレスの設定あるいは変更を行うことができる。
【００２６】
さらに、このような無線通信は光通信などにより廉価、かつ簡単な構成により実現できるという利点もある。また、遊技台用台間機の側におけるアドレス設定のための構成も廉価、且つ簡単な構成にできるという利点がある。
【００２７】
なお、上記の例では光通信によりアドレスを設定しているが、所定周波数の電波によりアドレスを送信するようにしてもよい。
【図面の簡単な説明】
【００２８】
【図１】本発明を適用したアドレス設定装置を備えた遊技台用台間機と隣接配置されている遊技台を示す斜視図である。
【図２】図１の遊技台用台間機の制御系の構成を示す概略ブロック図である。
【図３】図１のアドレス設定装置のアドレスデータ発信器を示す説明図である。
【図４】図１のアドレス設定装置によるアドレス設定動作を示すフローチャートである。
【符号の説明】
【００２９】
１    遊技台
２    遊技台用台間機
６    前面パネル
７    表示ランプ
１０  受光窓
１１  アドレスデータ発信器
１２  アドレスデータ受信器
１３  アドレスメモリ
１５  アドレス設定装置
２１  制御ユニット
３０  アドレス表示部
３１、３２、３３  液晶表示器
３１（１）〜３３（２）  操作ボタン
３４  送信ボタン
３５  発光部
【図１】
2005034527.tif 000003
【図２】
2005034527.tif 000004
【図３】
2005034527.tif 000005
【図４】
2005034527.tif 000006